(57)【要約】【課題】照明用の発光素子の光と外光の双方を受ける光センサを備え、光センサが検出する照度に基づき発光素子の点灯及び消灯を制御部で制御する方式において、電源部及びまたは制御部の動作に伴って発生するノイズが光センサから制御部の入力部への配線に乗って制御部へ入力されると、制御部の正規の動作が得られなくなる虞がある。本発明は、光センサ、制御部及び照明器具のその他の構成要素を含めた部品の配置及び配線構成によって、この問題を解決する。【解決手段】下側面が開いた内部空間を有する本体の内部空間に、照明用の発光素子が下側面に配置された光源用基板と、光源用基板の下側面に配置され発光素子の光と外光とを受ける光センサと、光センサの受光に基づき発光素子の点灯及び消灯を制御する制御部が配置された回路基板とを備え、光センサの照度検出信号が制御部へ入力されるリード線が、光源用基板と回路基板の双方の近接端部側に亘り配線されること。【選択図】図１
2018073727.tif 000002
【特許請求の範囲】
【請求項１】
下側面が開いた内部空間を有する本体を備え、
前記内部空間に、
照明用の発光素子が下側面に配置された光源用基板と、前記発光素子の光と太陽光等の外光の双方を受ける状態に前記光源用基板の下側面に配置された光センサと、前記光センサの受光に基づき前記発光素子の点灯及び消灯を制御する点灯制御回路部が配置された回路基板と、を備え、
前記光センサの照度検出信号が前記点灯制御回路部へ入力されるリード線が、前記光源用基板と前記回路基板の双方の近接端部側に亘り配線された、
ことを特徴とする照明器具。
【請求項２】
下側面が開いた内部空間を有する本体を備え、
前記内部空間の前部領域に、照明用の発光素子と、前記発光素子の光と太陽光等の外光の双方を受ける状態の光センサとが下側面に配置された光源用基板を備え、
前記内部空間の後部領域に、前記光センサの受光に基づき前記発光素子の点灯及び消灯を制御する制御部を備える回路基板と、前記発光素子用電力を供給する電源部とが配置され、
前記光センサは、前記発光素子よりも後方位置で前記光源用基板の後部寄りに配置され、
前記光センサの照度検出信号が前記制御部へ入力されるリード線が、前記光源用基板の後部と前記回路基板の前部とに亘り配線された、
ことを特徴とする照明器具。
【請求項３】
前記電源部と前記制御部が前記回路基板に配置された、
ことを特徴とする請求項２に記載の照明器具。
【請求項４】
不透光性の下側に開口する内部空間を有する本体と、前記開口部分に沿って前記本体に取り付けられた光源用基板と、前記光源用基板の上面側（この基板に当接、離間のいずれでもよい）にて前記内部空間に収容された回路基板とを備え、
前記光源用基板の下側面には、所定間隔を存して配置された複数の照明用の発光素子と、前記発光素子の前方位置にあって前記発光素子の光と太陽光等の外光の双方を受ける状態の光センサとが配置され、
前記回路基板には、前記発光素子用電力を供給する電源部と、前記光センサの受光に基づき前記発光素子の点灯及び消灯を制御する制御部とが配置され、
前記光センサの照度検出信号が前記制御部へ入力されるリード線が、前記光源用基板の前部と前記回路基板の前部に亘り配線された、
ことを特徴とする照明器具。
【請求項５】
前記回路基板は、下側面に回路部品が配置され、前記光源用基板よりも後方で前記光源用基板よりも上方位置にて前記内部空間に収容され、
前記開口を塞ぐように前記本体に開閉可能または取り外し可能な透光性カバーを備え、
前記光源用基板と前記電源基板は、前記透光性カバーが前記開口を開いた状態で前記開口を通して前記本体の下方に開放される配置である、
ことを特徴とする請求項１乃至請求項４のいずれかに記載の照明器具。
【請求項６】
前記照明器具は、前後方向に長く後部に支柱等への取り付け部を有し、
前記光源用基板は、前後方向に長い板状であり、
前記発光素子は、所定間隔を存して前記光源用基板に前後方向に配置され、
前記発光素子ごとに対応し所定の配光を形成するレンズ部と前記光センサを覆うセンサ被覆部とが一体形成された透光性の板状のレンズ体を備え、
前記レンズ体が前記光源用基板の下側面に重ね合わせ状態に取り付けられた、
ことを特徴とする請求項１乃至請求項５のいずれかに記載の照明器具。
【発明の詳細な説明】
【技術分野】
【０００１】
本発明は、周囲の明暗を光センサで検出して光源の点灯制御を行う照明器具に関する。
【背景技術】
【０００２】
照明器具の周囲の明暗照度を光センサが検知することにより、点灯制御部が照明器具の光源として、ＬＥＤ（Light Emitting Diode＝発光ダイオード）を採用し、このＬＥＤが点灯するか消灯するかを制御する照明器具において、照明器具の周囲の照度が低下し所定の暗照度を光センサ（照度センサともいう）が検知することにより、照明器具内の光源であるＬＥＤが点灯するが、この点灯したＬＥＤの光が光センサに届き所定の明照度以上の照度を検知すればＬＥＤが消灯する。そして、その消灯による低下した照度を再び光センサが検知すれば再びＬＥＤが点灯し、その光を光センサが検知して再びＬＥＤが消灯する。このようなＬＥＤの点灯・消灯が繰り返される、所謂自己点滅動作を行う虞がある。
【０００３】
また、屋外設置の道路灯等の照明器具は、照明器具の取り付け部を支柱等に取り付けた状態で、光センサの検知とその検知による点灯制御回路が正常に動作するか否かを確認する作業を行う。
照明器具の形態が、ＬＥＤを配列したＬＥＤ基板が金属製の本体の下側開口に対面して配置され、このＬＥＤとＬＥＤ基板を覆うように本体の下側開口を透光性カバーで覆う形態である場合、前記作業を日中の天空照度（外光照度）が高い状態で行う際、外光（周囲光）が光センサへ入らないように光センサの周囲を遮光部材で覆っても、外光が透光性カバーを透過して照明器具内に入り、それが光センサに届いて誤動作し、光センサと点灯制御回路が正常に動作するか否かの確認ができない虞がある。
【０００４】
照明器具の一つである防犯灯は、ＬＥＤ素子の発光によって路面等を照射するために、照明器具の取り付け部を支柱等に取り付け、その取り付け状態において、周囲の明暗を光センサで検知し、ＬＥＤの発光制御を行うものがある（特許文献１）。
【０００５】
特許文献１の光センサ（受光センサと称している）は、図１、図５、図７、図９に示されるように、自動点滅基板７１の上下切欠きに遮光部材７３の一端の自動点滅基板収納凹部７３ａが嵌り合い、遮光部材７３の他端を本体１に形成した溝１４ａに嵌め込み、点灯制御装置６が本体１に固定されるとき、自動点滅スイッチの底部６１と本体１に形成した基板固定用スリット１８ａ〜１８ｄによって自動点滅基板７１が挟持され、遮光部材７３が本体１に固定される。
【０００６】
このような特許文献１の光センサ（受光センサと称している）の本体１への取り付けは、以下のようなことが想定される。即ち、
自動点滅基板７１の上下切欠きに遮光部材７３の一端の自動点滅基板収納凹部７３ａが嵌り合うため、この部分からの光の侵入を防止するためには、隙間ない組み合わせとする必要があるが、そのようにすれば組み立てがし難く作業性が悪い。
また、遮光部材７３の他端を本体１に形成した溝１４ａに嵌め込むため、この部分からの光の侵入を防止するためには、隙間ない組み合わせとする必要があるが、そのようにすれば組み立てがし難く作業性が悪い。
更に、点灯制御装置６の本体１への固定に伴って、自動点滅基板７１が挟持され遮光部材７３が本体１に固定されるため、組み立てがし難く作業性が悪い。
このように光センサ（受光センサと称している）へ侵入する不要な外光を遮るために、多くの部品の構成が必要となり、組み立てが複雑である。
【０００７】
また、防犯灯または街路灯において、照明用光源部としてＬＥＤを備え、このＬＥＤが発生する光が光センサによる検出に影響する場合でも、周囲の明るさを安定して検出でき、ＬＥＤの点灯及び消灯を正常に制御できるようにするために、光センサによって検出される検出値と、予め設定されている閾値とに基づいて電源電圧変換部を制御すると共に、ＬＥＤの点灯後には光センサによって検出される検出値または予め設定されている閾値を補正する方式がある（特許文献２）。
【先行技術文献】
【特許文献】
【０００８】
【特許文献１】特開２０１４ー１２７２４７号公報
【特許文献２】特開２０１３ー２０１０１０号公報
【発明の概要】
【発明が解決しようとする課題】
【０００９】
特許文献２では、特許文献１のような複雑な構成が不要となり、また、自己のＬＥＤの発光した光を光センサが検出しても、それによるＬＥＤの消灯は防げるであろう。
しかし、照明器具内における照明用光源としてのＬＥＤ、光センサ、前記ＬＥＤ用の電力を供給する電源部、前記光センサが検出する照度に基づき前記ＬＥＤの点灯及び消灯を制御する制御部を設け、これらが正常な動作を行うためのノイズ対策を講じた技術関係についての開示はない。
【００１０】
本発明は、照明器具内に、照明用の発光素子と、前記発光素子用の電力を供給する電源部を設け、発光素子の光と太陽光等の外光の双方を受ける状態に光センサが配置され、前記光センサが検出する照度に基づき前記発光素子の点灯及び消灯を制御する制御部を設ける。
【００１１】
この場合、前記電源部及びまたは前記制御部の動作に伴って不要な雑音となる障害電波（以下、ノイズという）が発生するが、このノイズが前記光センサから前記制御部の入力部への配線に乗って前記制御部へ入力されると、前記制御部での正規の動作が得られなくなる虞がある。
【００１２】
本発明は、この点に鑑み、光センサが、発光素子の光と太陽光等の外光の双方を受ける状態に配置された照明器具において、前記光センサ、前記制御部及び照明器具としてのその他の構成要素を含めた部品の配置及び配線構成によって、このようなノイズ障害の抑制と、部品の配置構成の簡素化を図り、照明器具の組み立ての簡素化を図ることができる照明器具を提供するものである。
【００１３】
本発明は、照明器具の光源である発光素子として、ＬＥＤのみならず、有機ＥＬ（Electro Luminescence）、無機ＥＬ（Electro Luminescence）、半導体レーザ等の半導体発光素子であってもよい。
【課題を解決するための手段】
【００１４】
第１の本発明の照明器具は、
下側面が開いた内部空間を有する本体を備え、
前記内部空間に、
照明用の発光素子が下側面に配置された光源用基板と、前記発光素子の光と太陽光等の外光の双方を受ける状態に前記光源用基板の下側面に配置された光センサと、前記光センサの受光に基づき前記発光素子の点灯及び消灯を制御する点灯制御回路部が配置された回路基板と、を備え、
前記光センサの照度検出信号が前記点灯制御回路部へ入力されるリード線が、前記光源用基板と前記回路基板の双方の近接端部側に亘り配線された、
ことを特徴とする。
【００１５】
第２の本発明の照明器具は、
下側面が開いた内部空間を有する本体を備え、
前記内部空間の前部領域に、照明用の発光素子と、前記発光素子の光と太陽光等の外光の双方を受ける状態の光センサとが下側面に配置された光源用基板を備え、
前記内部空間の後部領域に、前記光センサの受光に基づき前記発光素子の点灯及び消灯を制御する制御部を備える回路基板と、前記発光素子用電力を供給する電源部とが配置され、
前記光センサは、前記発光素子よりも後方位置で前記光源用基板の後部寄りに配置され、
前記光センサの照度検出信号が前記制御部へ入力されるリード線が、前記光源用基板の後部と前記回路基板の前部とに亘り配線された、
ことを特徴とする。
【００１６】
第３の本発明の照明器具は、上記第２において、
前記電源部と前記制御部が前記回路基板に配置された、
ことを特徴とする。
【００１７】
第４の本発明の照明器具は、
不透光性の下側に開口する内部空間を有する本体と、前記開口部分に沿って前記本体に取り付けられた光源用基板と、前記光源用基板の上面側（この基板に当接、離間のいずれでもよい）にて前記内部空間に収容された回路基板とを備え、
前記光源用基板の下側面には、所定間隔を存して配置された複数の照明用の発光素子と、前記発光素子の前方位置にあって前記発光素子の光と太陽光等の外光の双方を受ける状態の光センサとが配置され、
前記回路基板には、前記発光素子用電力を供給する電源部と、前記光センサの受光に基づき前記発光素子の点灯及び消灯を制御する制御部とが配置され、
前記光センサの照度検出信号が前記制御部へ入力されるリード線が、前記光源用基板の前部と前記回路基板の前部に亘り配線された、
ことを特徴とする。
【００１８】
第５の本発明の照明器具は、上記第１乃至第４のいずれかにおいて、
前記回路基板は、下側面に回路部品が配置され、前記光源用基板よりも後方で前記光源用基板よりも上方位置にて前記内部空間に収容され、
前記開口を塞ぐように前記本体に開閉可能または取り外し可能な透光性カバーを備え、
前記光源用基板と前記電源基板は、前記透光性カバーが前記開口を開いた状態で前記開口を通して前記本体の下方に開放される配置である、
ことを特徴とする。
【００１９】
第６の本発明の照明器具は、上記第１乃至第５のいずれかにおいて、
前記照明器具は、前後方向に長く後部に支柱等への取り付け部を有し、
前記光源用基板は、前後方向に長い板状であり、
前記発光素子は、所定間隔を存して前記光源用基板に前後方向に配置され、
前記発光素子ごとに対応し所定の配光を形成するレンズ部と前記光センサを覆うセンサ被覆部とが一体形成された透光性の板状のレンズ体を備え、
前記レンズ体が前記光源用基板の下側面に重ね合わせ状態に取り付けられた、
ことを特徴とする。
【発明の効果】
【００２０】
本発明は、照明用の発光素子の光と照明器具の周囲の外光の双方を受ける状態に光センサが配置された照明器具であり、光センサ、制御部及び照明器具としてのその他の構成要素を含めた部品の配置及び配線構成によって、ノイズ障害の抑制と、部品の配置構成の簡素化を図り、照明器具の組み立ての簡素化を図ることができる照明器具となる。
このために、光センサの照度検出信号が制御部へ入力されるリード線が、光源用基板と回路基板の双方の近接端部側に亘り配線される構成とし、光源用基板に発光素子と光センサを配置とすることによって、光センサが発光素子の発光による照度と照明器具周囲の外光による照度とを検知する構成が容易となり、且つ、光センサの照度検出信号が制御部へ入力されるリード線が短い配線となり、ノイズが光センサから制御部の入力部への配線に乗って制御部へ入力されることを抑制することに適する。
【００２１】
また本発明は、本体の内部空間内の前側に光源用基板を配置し、後側に回路基板を配置する場合、光センサを照明用の発光素子よりも後方位置で光源用基板の後部寄りに配置し、光センサの照度検出信号が制御部へ入力されるリード線が、光源用基板の後部と回路基板の前部とに亘る配線とすることにより、リード線が短い配線となり、ノイズが光センサから制御部の入力部への配線に乗って制御部へ入力されることを抑制することに適する。
【００２２】
また本発明は、光源用基板の上側に回路基板を配置する場合、光源用基板の下側面に配置される発光素子の前方位置に光センサを配置し、回路基板に電源部と制御部を配置することにより、光センサ基板を別個に設ける必要がなく、光センサの配置構成が容易となり、光センサの照度検出信号が制御部へ入力されるリード線を光源用基板の前部と回路基板の前部に亘り配線することにより、ノイズによる制御部の誤動作抑制に適するものとなる。
【００２３】
また本発明は、光源用基板の下側面に発光素子と光センサを配置し、レンズ体が発光素子に対応するレンズ部と光センサを覆う部分を一体に有することにより、光センサのカバーが容易となる。特に、透光カバーを備えずレンズ体が露出する形態の照明器具において、光センサを外力から保護する構成が簡単に達成できる。
【図面の簡単な説明】
【００２４】
【図１】本発明に係る照明器具の縦断側面図である。
【図２】本発明に係る照明器具の分解斜視図である。
【図３】本発明に係る照明器具の透光性カバーを取り外した状態の下方から視た斜視図である。
【図４】本発明に係る照明器具の透光性カバーを取り外した状態の下方から視た図である。
【図５】本発明に係る照明器具の後方から視た斜視図である。
【図６】本発明に係る照明器具の動作に係るブロック図である。
【図７】第２実施例の本発明に係る照明器具の本体縦断面による側面図である。
【図８】第２実施例の本発明に係る照明器具の透光性カバーを取り外した状態の下方から視た図である。
【図９】第２実施例の本発明に係る照明器具の後方から視た図である。
【発明を実施するための形態】
【００２５】
本発明の照明器具は、下側面が開いた内部空間を有する本体を備え、前記内部空間に、照明用の発光素子が下側面に配置された光源用基板と、前記光源用基板の下側面に配置され前記発光素子の光と前記照明器具の周囲の外光とを受ける光センサと、前記光センサの受光に基づき前記発光素子の点灯及び消灯を制御する点灯制御回路部が配置された回路基板と、を備え、前記光センサの照度検出信号が前記点灯制御回路部へ入力されるリード線が、前記光源用基板と前記回路基板の双方の近接端部側に亘り配線された構成である。
以下、本発明の実施形態として、発光素子を複数のＬＥＤで構成したものについて、図面を参照して説明する。
【実施例１】
【００２６】
本発明の照明器具1は、その代表的な一つの構成として、防犯灯または街路灯と称して歩道や公園等の照明用として用いられるものであり、内部に照明用の発光素子２としてのＬＥＤと、発光素子２用の電力を供給する電源部３と、発光素子２の光と周囲の外光による照度とを受けるよう配置された光センサ４と、この光センサ４が検出する照度に基づき発光素子２の点灯及び消灯を制御する制御部５とを備える。
【００２７】
照明器具1は、前後方向に長い形態であり、下側に開口６Ａを形成して下側面が開いた内部空間６Ｂを有する本体６と、開口６Ａを塞ぐように透光性カバー７を備える。透光性カバー７は、開口６Ａの周縁部にネジＮ１にて本体６に取り外し可能に取り付け、または開口６Ａを塞ぐように本体６の一部に蝶番にて開閉可能に取り付けられる。照明器具1の後部には、本体６から後方へ延び支柱等への取り付け部８を有する。
【００２８】
内部空間６Ｂの前部領域には、開口６Ａ部分に沿って本体６のボスにネジＮ２にて４隅で取り付けられる前後に長い矩形状の平板状の光源用基板９を備え、この光源用基板９の下側面には、前後方向に所定の間隔を存して１列６個のＬＥＤで構成する発光素子２が左右対称状態に２列配置される。また、光源用基板９の下側面には、これら発光素子２と間隔を存して光センサ４が配置され、図示のものは、光センサ４は、発光素子２よりも後方位置で光源用基板９の後部に発光素子２と所定間隔を存して配置されている。光センサ４は発光素子２の光を受けないように遮断する構成ではないため、光センサ４は発光素子２の発光による照度と、透光性カバー７を通して周囲の外光による照度とを検知する。
【００２９】
このように、光源用基板９の下側面に発光素子２と間隔を存して光センサ４が配置されることによって、光センサ４と発光素子２を別個の基板に配置する場合に比して、光センサ４が、発光素子２の光と透光性カバー７を通した周囲の外光とを受ける構成となり、且つ、照明器具1の組み立ての簡素化及び部品数の低減による低コスト化に適する。
【００３０】
内部空間６Ｂの後部領域には、発光素子２用の電力を供給する電源部３と、光センサ４の受光に基づき発光素子２の点灯及び消灯を制御する制御部５とを配置する。電源部３と制御部５とで点灯制御回路部を構成する。電源部３と制御部５とは、それらを構成する電子部品１１が、１枚の回路基板１０にプリント配線された配線に電気的接続にて配置され、回路基板１０は本体６のボスにネジＮ３によって取り付けられる。電源部３と制御部５とを別個の基板に配置する場合に比して、照明器具1の組み立ての簡素化及び部品数の低減による低コスト化に適する。
【００３１】
図１等に示すように、回路基板１０は、下側面に電子部品１１が配置され、光源用基板９よりも後方位置にて開口６Ａに対応し光源用基板９よりも上方位置にて内部空間６Ｂの後部領域に収容されている。このため、透光性カバー７が開口６Ａを開いた状態で、光源用基板９と電源基板１０は開口６Ａを通して本体６の下方に開放される配置である。
【００３２】
回路基板１０及び電子部品１１の下側が保護カバー１２によって覆われている。保護カバー１２は金属板か不透明状態の合成樹脂板で構成され、保護カバー１２は本体６のボスにネジＮ４によって取り付けられる。これは、回路基板１０及び電子部品１１に作業者が触れることによる感電を防ぐと共に、透光性カバー３を通して外部から回路基板１０及び電子部品１１が見えないようにする効果もある。
なお、回路基板１０を電気絶縁シートで覆うことにより、回路基板１０の電子部品１１を雷によるサージ電圧から保護できる。
【００３３】
光源用基板９の下側面に重ね合わせ状態にレンズ体１３が、本体６のボスにネジＮ５によって取り付けられる。レンズ体１３は、前後に長い矩形状の平板状基板部１３Ｂに発光素子２ごとに対応し所定の配光を形成するレンズ部１３Ａが一体形成された透光性の板状である。
なお、図３に示すように、平板状基板部１３Ｂを後方へ延長して光センサ４を覆うセンサ被覆部１３Ｃを一体形成することにより、光センサ４を外力から保護できる。
【００３４】
本体６の後壁に左右一対で形成された取り付け部８の間の部分に形成した配線孔６Ｆに防水用の弾性シール材１４が嵌合され、この弾性シール材１４を貫通して商用電源ライン１５が配線される。商用電源ライン１５の先端のコネクタ１６が回路基板１０に取り付けたコネクタ１７に接続されることにより、電源部３に電力が供給される。
【００３５】
電源部３は、商用電源ライン１５から供給される交流電力を直流電力に変換するＡ／Ｄ回路１８と、この直流電力を発光素子２へ供給する間欠パルスの電力に変換する点灯電力供給部１９と、前記直流電力を光センサ回路２１と制御部５に供給する定電圧回路２０とを備える。図６は、回路動作の説明上、定電圧回路２０を別個に示している。これによって、発光素子２は、点灯電力供給部１９から出力されるハイレベルとローレベルが交互に繰り返される矩形波形の間欠パルスのハイレベル期間によって、間欠的に発光素子２が点灯（間欠パルスのハイレベル期間で点灯）する構成である。
このパルスの周波数は、発光素子２を見る人がちらつきを感じない程度の周波数であり、回路的に生成し易くするために、５０Ｈｚまたは６０Ｈｚの２倍以上の整数倍でよいが、５００Ｈｚ未満では人の視覚神経の関係から気分が悪く感じる虞が指摘されることから、１ＫＨｚ乃至２ＫＨｚを用いることが好ましい。
【００３６】
Ａ／Ｄ回路１８の直流は、定電圧回路２０を介して光センサ回路２１と制御部５に供給される。制御部５は、マイクロコンピュータ制御方式であり、動作プログラム、基準情報、入力情報、出力情報等を格納する必要なメモリ、及び比較動作手段等を備え、入力情報の入力部５Ｐを備える。光センサ回路２１は制御部５によって制御され、光センサ４の検出に基づく照度情報（照度検出信号）を制御部５の入力部５Ｐへ入力情報として供給する。このため、光センサ回路２１は制御部５の一部分を構成するものであり、光センサ回路２１を含む制御部５と電源部３とで点灯制御回路部を構成することとなる。図６は、回路動作の説明上、光センサ回路２１を別個に示している。
【００３７】
点灯電力供給部１９の出力側にコネクタ２９で接続したリード線２７の先端のコネクタ２８は、発光素子２に接続したコネクタ３０に接続される。コネクタ３０は、光センサ４よりも後方位置で光源用基板９の後部に設けられる。
また、光センサ回路２１の入力側にコネクタ３１で接続したリード線３２の先端のコネクタ３３は、光センサ４に接続したコネクタ３４に接続される。コネクタ３４は、光センサ４よりも後方位置で光源用基板９の後部領域に設けられ、コネクタ３０と横並び配置である。
【００３８】
制御部５及び電源部３から発生するノイズがリード線３２に乗って光センサ回路２１へ入り、それによって制御部５の動作に障害が齎される虞があるため、これを解決するために、リード線３２の長さが最短距離またはこれに近づくように短い配線とすることが好ましい。
これを達成するために、光センサ４の照度検出信号が制御部５へ入力するためのリード線３２が、光源用基板９と回路基板１０の双方の近接端部間に亘る配線とする。
【００３９】
即ち、内部空間６Ｂに前後配置された光源用基板９と回路基板１０における近接端部として、光源用基板９の後端部と回路基板１０の前端部が存在する。そして、光センサ４に接続したコネクタ３４を光源用基板９の後端近傍部分に設け、光センサ回路２１の入力側に接続するコネクタ３１を回路基板１０の前端近傍部分に設ける。この場合、光センサ回路２１を回路基板１０の前端部近傍に配置するが好ましい。
この構成によって、光源用基板９と回路基板１０の双方の近接端部側に亘る配線として、光源用基板９と回路基板１０に亘るリード線３２が相当するため、リード線３２の長さが短くなる。このため、リード線３２による前記ノイズを拾う範囲が少なくなり、好ましいものとなる。図では、リード線３２がクランク状に屈曲しているが、短くするためには略直線状の配線が好ましい。
【００４０】
光センサ４は、発光素子２の光と照明器具1の周囲の外光の両方を受ける配置構成であるため、光センサ４での検出が正確に行えるようにするために、発光素子２が点灯モードであっても照明器具1の周囲の外光のみを検出する方式としている。
このため、光センサ４で検出する照度に基づき発光素子２の点灯及び消灯を制御する方式は、上記のように、発光素子２が夜間の点灯モードにおいては、点灯電力供給部１９から出力される間欠パルスのハイレベル期間によって、間欠的に発光素子２が点灯（間欠パルスのハイレベル期間で点灯）する。
【００４１】
この間欠パルスの周波数は、人間の目ではちらつきを感じない程度に高い周波数であり、間欠パルスのハイレベル期間での点灯を１００％発光とし、間欠パルスのローレベル期間では、０％発光（消灯）とする。
そして、光センサ４が検出する照度は、間欠パルスのローレベル期間で検出する照度とするように、制御部５によって制御される。
【００４２】
照明器具1の設置が終了し、すべての配線が終了し、接続されたコネクタ１６とコネクタ１７を通して商用電源ライン１５から交流電力が供給され、照明器具1が正規の動作をする通常状態となる。この状態においては、昼間の明るいときは、照明器具1の外光である太陽光の光が光センサ４で検出され、光センサ４で検出する照度が大であるため、光センサ４の検出に基づく照度情報が制御部５に設定した消灯閾値よりも大となる。このため、制御部５は点灯電力供給部１９が発光素子２へ点灯出力を出力しないように制御し、発光素子２は消灯モードである。
【００４３】
時刻の経過によって夕刻になり、光センサ４で検出する照度に基づく照度情報が制御部５に設定した点灯閾値よりも小または以下となることによって、制御部５は点灯電力供給部１９が発光素子２へ点灯出力を出力するように制御し、発光素子２は点灯モードとなる。この時の光センサ４で検出する点灯時照度は、例えば３０ルクスとする。
この点灯モードは、点灯電力供給部１９から出力される間欠パルスによって間欠的に発光素子２が点灯（間欠パルスのハイレベル期間で点灯）される。この間欠パルスの周波数は、発光素子２を見る人がちらつきを感じることのない１００Ｈｚ以上であり、実施例では１ＫＨｚ〜２ＫＨｚである。
【００４４】
夜間の点灯モードでは、光センサ４は発光素子２の消灯期間の照度を検出する（間欠パルスの間欠区間であるローレベル期間で検出する）。この間欠区間は、発光素子２の消灯区間であり、この消灯区間では太陽が沈み光センサ４で検出する照度は極めて低く、制御部５に設定した消灯閾値よりも十分小であるため、制御部５は点灯電力供給部１９が発光素子２へ点灯出力を出力する制御状態を維持する。
このように、発光素子２が点灯モードとなる夜間では、光センサ４は発光素子２の消灯期間において外光の照度を検出するが、夜間では太陽光の検出照度は殆んどゼロであり、実質的に発光素子２の点灯照度も検出しないため、光センサ４で検出する照度は消灯閾値よりも十分小となり、制御部５は点灯電力供給部１９が発光素子２へ点灯出力を出力する制御状態を維持し、発光素子２は夜間において所期の点灯モードを継続する。
【００４５】
時間の経過によって夜明けになると、照明器具1の周囲の外光が上昇し、間欠パルスの間欠区間で検出する光センサ４の検出照度が上昇する。この間欠パルスの間欠区間で光センサ４が検出する照度情報を制御部５に設定した消灯閾値と比較して、光センサ４で検出する照度に基づく照度情報が制御部５に設定した消灯閾値よりも大または以上となれば、制御部５は点灯電力供給部１９が発光素子２を消灯モードとするように制御し、発光素子２は消灯状態となる。この時の光センサ４で検出する消灯時照度は、光センサ４で検出する上記点灯時照度よりも高く、例えば１２０ルクスとする。
【００４６】
再び夜間においては上記同様にして発光素子２が点灯モードとなる。
上記のように、発光素子２が点灯モードであっても、光センサ４が発光素子２の消灯時の照度を検出するように、間欠パルスの間欠区間であるマイナス期間で検出する方式によって、光センサ４を外光から遮断する特別な遮蔽構造とする必要がなくなる。
【実施例２】
【００４７】
図７乃至図９に第２実施例を示す。
実施例２が実施例１と異なるところについて、以下に説明する。実施例２において実施例１と同様の部分には、実施例１と同様の符号を付し、その説明は実施例１を援用する。
【００４８】
実施例２では、本体６の開口６Ａ部分に沿って配置され開口６Ａの周縁部に接触状態で以って、本体６に形成した取り付けボスにネジＮ６にて取り付けた前後に長い平板状の金属製取り付け板５０を設ける。本体６の内部空間６Ｂの前部領域に対応して、この取り付け板５０を放熱板として取り付け板５０の下側面に、光源用基板９の下側面に光源用基板９と略同じ平面積のレンズ体１３を重ね合わせた状態で、ネジＮ７によって取り付け板５０に取り付けている。これによって、発光素子２の発熱が光源用基板９を通して取り付け板５０に伝達し、取り付け板５０から本体６へ伝達し、本体６から放散させる。このため、取り付け板５０は放熱板として作用する。
【００４９】
また、本体６の内部空間６Ｂの後部領域に対応して、この取り付け板５０の上側面に、取り付け板５０の一部を切り起こし形成した支持部５１を立ち上げ、この支持部５１に回路基板１０をネジＮ８によって取り付けている。これによって、取り付け板５０の上側面に間隔を存して回路基板１０が並行状態に、内部空間６Ｂの後部領域に配置される。これによって、回路基板１０のアースラインが支持部５１を通して形成されるが、アースライン形成の確実性のために、回路基板１０と取り付け板５０及び本体６とを結ぶアースライン５３は、その一端が後部のネジＮ６にて取り付けられ、他端が回路基板１０のアースラインに接続されている。
【００５０】
また、光源用基板９の前端部近傍下面に配置するコネクタ３０は、レンズ体１３の平板状基板部１３Ｂの孔を貫通し、これに対応して基板部１３Ｂに形成したカバー部１３Ｂ１にて覆われる。また、光源用基板９の後端部近傍下面に配置するコネクタ３４は、レンズ体１３の平板状基板部１３Ｂの孔を貫通し、これに対応して基板部１３Ｂに形成したカバー部１３Ｂ２にて覆われる。
【００５１】
実施例２の構成も、光センサ４の照度検出信号が制御部５へ入力するためのリード線３２が、光源用基板９と回路基板１０の双方の近接端部間に亘る配線である。即ち、内部空間６Ｂに前後配置された光源用基板９と回路基板１０における近接端部として、光源用基板９の後端部と回路基板１０の前端部が存在する。そして、光センサ４に接続したコネクタ３４を光源用基板９の後端近傍部分に設け、光センサ回路２１の入力側に接続するコネクタ３１を回路基板１０の前端近傍部分に設ける。この場合、光センサ回路２１を回路基板１０の前端部近傍に配置するが好ましい。
コネクタ３０にコネクタ２８が接続され、コネクタ３４にリード線３２の一端のコネクタ３３が接続され、リード線３２の他端のコネクタ３１が回路基板１０の前端近傍部分で光センサ回路２１の入力側に接続され、光センサ４の照度検出信号が制御部５へ入力するラインが形成される。
これによって、回路基板１０の制御部５から光源用基板９へ亘るリード線３２の長さが短くなり、リード線３２による前記ノイズを拾う範囲が少なくなり、好ましいものとなる。図では、リード線３２が屈曲しているが、短くするためには略直線状の配線が好ましい。
【００５２】
また、商用電源ライン１５の停電用停電用として使用される蓄電池６０を備える。蓄電池６０は、本体６の内部空間６Ｂの後部領域に取り付けられ、その位置は回路基板１０の上方である。
【００５３】
制御部５は、商用電源ライン１５から供給される交流電力が一時的停電しても、直ぐに発光素子２を消灯することなく安定して点灯状態を維持する制御方式とする。
このため、制御部５は、商用電力の停電を検出し、停電時に発光素子２が蓄電池６０の電力にて動作するよう制御する制御手段を備える。蓄電池６０は、商用電源ライン１５の交流電力によって充電されるように充電回路（図示せず）を介して配線されており、蓄電池６０は定電圧回路６１を介して電源部３の点灯電力供給部１９、光センサ回路２１及び制御部５へ供給される。
【００５４】
蓄電池６０を電源とする動作は、商用電源の場合の実施例１と同様である。
なお、取り付け板５０と回路基板１０との間に電気絶縁シートを配置することにより、回路基板１０の電子部品１１と取り付け板５０との電気的絶縁を達成する。また、蓄電池６０と回路基板１０との間に電気絶縁シートを配置することにより、蓄電池６０と回路基板１０との電気的絶縁を達成する。
【００５５】
照明器具1は、例えば、実施例２における回路基板１０が光源用基板９の上方位置の配置となる配置でもよい。その一つとして、支持部５１と同様に取り付け板５０の一部を切り起こし形成し、これに回路基板１０をネジで取り付けるようにした形態とし、本体６の内部空間６Ｂの後部領域に蓄電池６０を収容する形態とし、上記実施例１と同様の動作をするように構成する。
この場合も、光センサ４の照度検出信号が制御部５へ入力するためのリード線３２が、光源用基板９と回路基板１０の双方の近接端部間に亘る配線とすることにより、リード線３２による前記ノイズを拾う範囲が少なくすることができる。
【００５６】
このため、このように回路基板１０が光源用基板９の上方位置の配置となる照明器具1において、光源用基板９の下側面には、所定間隔を存して配置された複数の発光素子２と、発光素子２の前方位置にあって外光による照度及び前記発光素子の発光による照度の双方を検出する光センサとが配置される構成とする。回路基板１０には電源部３と制御部５とが配置される。
【００５７】
この場合、リード線３２による前記ノイズを拾う範囲を少なくするために、光源用基板９側の光センサ４用コネクタ３４を光源用基板９の光センサ４近傍の前部分に配置し、制御部５側のコネクタ３１を回路基板１０の前部分に配置する。光センサ回路２１を回路基板１０の前端部近傍に配置するが好ましい。そして、リード線３２の先端のコネクタ３３をコネクタ３４に接続して、リード線３２が光源用基板９の前部と回路基板１０の前部に亘り配線されるようにする。これによって、回路基板１０の制御部５から光源用基板９へ配線されるリード線３２が短くなり、リード線３２による前記ノイズを拾う範囲が少なくなり、好ましいものとなる。
【００５８】
また、回路基板１０が光源用基板９の上方位置の配置となる照明器具1において、光源用基板９の下側面には、所定間隔を存して配置された複数の発光素子２と、発光素子２の後方位置にあって外光による照度及び前記発光素子の発光による照度の双方を検出する光センサとが配置される構成とする。発光素子２用コネクタ３０は、光源用基板９の発光素子２の前側または後側のいずれの配置でもよい。回路基板１０には電源部３と制御部５とが配置される。
【００５９】
この場合、リード線３２による前記ノイズを拾う範囲を少なくするために、光源用基板９側の光センサ４用コネクタ３４は、図２と同様に、光源用基板９の光センサ４近傍の後端部近傍に配置し、制御部５側のコネクタ３１を回路基板１０の後部分に配置する。光センサ回路２１を回路基板１０の後端部近傍に配置するが好ましい。そして、リード線３２の先端のコネクタ３３をコネクタ３４に接続して、リード線３２が光源用基板９の後部と回路基板１０の後部に亘り配線されるようにする。これによって、回路基板１０の制御部５から光源用基板９へ配線されるリード線３２が短くなり、リード線３２による前記ノイズを拾う範囲が少なくなり、好ましいものとなる。
【００６０】
なお、光源用基板９と回路基板１０との間に電気絶縁シートを配置することにより、光源用基板９と回路基板１０との電気的絶縁を達成する。また、回路基板１０を電気絶縁シートで覆うことにより、回路基板１０の電子部品１１を雷によるサージ電圧から保護できる。
【００６１】
また、照明器具1の構造として、実施例１及び実施例２の形態における透光性カバー７を設けず、光源用基板９の下側を覆うレンズ体１３が露出状態の形態であってもよい。
例えば、実施例１に関しては、光源用基板９とレンズ体１３が周縁部に環状パッキンを介して水密状態で重ね合わされ、この重合体が本体６の下側の開口６Ａの周縁部にパッキンを介して水密状態にネジで取り付けられた形態とする。また、保護カバー１２は、前記重合体に水密状態で連接され、本体６の下側の開口６Ａの周縁部にパッキンを介して水密状態にネジで取り付けられた形態とし、上記実施例１と同様の動作をするものであってもよい。
【００６２】
本発明は、上記実施形態に係らず、本発明の趣旨を逸脱しない範囲で種々の形態を包含する。
【符号の説明】
【００６３】
１          照明器具
２          発光素子
３          電源部
４          光センサ
５          制御部
６          本体
６Ｂ        内部空間
７          透光性カバー
８          取り付け部
９          光源用基板
１０        回路基板
１１        電子部品
１３        レンズ体
１５        商用電源ライン
１９        点灯電力供給部
２１        光センサ回路
３２        リード線
３４        コネクタ
【図１】
2018073727.tif 000003
【図２】
2018073727.tif 000004
【図３】
2018073727.tif 000005
【図４】
2018073727.tif 000006
【図５】
2018073727.tif 000007
【図６】
2018073727.tif 000008
【図７】
2018073727.tif 000009
【図８】
2018073727.tif 000010
【図９】
2018073727.tif 000011